【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
軸線の周りで回転するように取付けられ且つ回転する表面を端部領域に備える回転構成部品と、
前記回転構成部品を囲む固定構成部品と、
前記回転構成部品の回転する表面と前記周囲の固定構成部品との間のシールと、
を含み、
前記シールは、前記固定構成部品により支持されかつ前記回転構成部品の外縁部から間隔を置いて配置された複数の歯状突起を有する環状のラビリンスシールと、前記ラビリンスシール歯状突起の軸方向に対向する側面の各々上に配置された環状のブラシシールとを含み、前記ブラシシールは、前記回転構成部品の回転する表面に向かって延びかつ該回転する表面に隣接する先端で終わるブリストルを有しており、それによって前記回転構成部品の回転する表面と前記固定構成部品との間のあらゆる間隙を通り抜ける漏洩が、最小にされるか又は排除される、
ことを特徴とするシーリング装置。
【請求項２】
前記固定構成部品に取付けられた、ブラシ及びラビリンス歯状突起組合せ用のホルダを含むことを特徴とする、請求項１に記載の装置。
【請求項３】
ロータ（１２）と、ステータ（２６）と、該ロータ及び該ステータ用のハウジング（２９）とを有する発電機（１０）における通気システム用のシーリング装置であって、
前記発電機ハウジングの一部分により囲まれた状態で前記ロータの端部分に取付けられたファン（２２）と、
前記ファンの外径縁部（５２）と前記周囲のハウジング部分との間のシール（４０）と、を含み、
前記シールは、前記周囲のハウジング部分により支持されかつ前記ファンの外縁部から間隔を置いて配置された複数の歯状突起（５０）を有する環状のラビリンスシールと、前記ラビリンスシール歯状突起の対向する側面の各々上に配置された環状のブラシシール（５４）とを含み、前記ブラシシールは、前記ファンの縁部に向かって延びかつ該ファンの縁部に隣接する先端で終わるブリストル（５５、５７）を有しており、それによって前記ファンの縁部と前記ハウジング部分との間のあらゆる間隙を通り抜ける漏洩が、最小にされるか又は排除される、
ことを特徴とするシーリング装置。
【請求項４】
前記周囲のハウジング部分に取付けられた、ブラシ及びラビリンス歯状突起組合せ用のホルダ（４４）を含むことを特徴とする、請求項３に記載の装置。
【請求項５】
前記歯状突起の各側面上に配置された前記ブラシシールの各々は、ブリストル支持体（６０）により互いに分離された、第１及び第２の軸方向に間隔を置いたブリストル列（５５、５７）を含むことを特徴とする、請求項１又は請求項３に記載の装置。
【請求項６】
各ブラシシール支持体と前記ラビリンスシール歯状突起の前記対向する側面の各々上に配置された前記二重のブリストル列の一部分とを覆って配置されたブラシシールカバープレート（６４）を含むことを特徴とする、請求項５に記載の装置。
【請求項７】
前記ラビリンス歯状突起の前記対向する側面の各々上に配置された各ブラシシールの第１のブリストル列（１８０）の先端が、各ブラシシールの第2のブリストル列の先端を越えた半径方向内側で終わることを特徴とする、請求項５に記載の装置。
【請求項８】
軸線の周りで回転するように取付けられた回転構成部品と、
前記回転構成部品を囲む固定構成部品と、
前記回転構成部品の外径縁部と前記周囲の固定構成部品との間のシールと、
を含み、
前記シールは、前記固定構成部品により支持されかつ前記回転構成部品の外縁部から間隔を置いて配置された複数の歯状突起を有する環状のラビリンスシールと、前記ラビリンスシール歯状突起の軸方向に対向する側面の各々上に配置された環状のブラシシールとを含み、
前記ブラシシールは、前記回転構成部品の縁部に向かって延びかつ該縁部に隣接する先端で終わるブリストルを有しており、それによって前記回転構成部品の縁部と前記固定構成部品との間のあらゆる間隙を通り抜ける漏洩が、最小にされるか又は排除され、
前記歯状突起の各側面上に配置された前記ブラシシールの各々は、ブリストル支持体（６０）により互いに分離された、第１及び第２の軸方向に間隔を置いたブリストル列（５５、５７）を含み、各ブラシシール支持体と前記ラビリンスシール歯状突起の前記対向する側面の各々上に配置された前記二重のブリストル列の一部分とを覆って配置されたブラシシールカバープレート（６４）を含む
ことを特徴とするシーリング装置。
【請求項９】
軸線の周りで回転するように取付けられた回転構成部品と、
前記回転構成部品を囲む固定構成部品と、
前記回転構成部品の外径縁部と前記周囲の固定構成部品との間のシールと、
を含み、
前記シールは、前記固定構成部品により支持されかつ前記回転構成部品の外縁部から間隔を置いて配置された複数の歯状突起を有する環状のラビリンスシールと、前記ラビリンスシール歯状突起の軸方向に対向する側面の各々上に配置された環状のブラシシールとを含み、
前記ブラシシールは、前記回転構成部品の縁部に向かって延びかつ該縁部に隣接する先端で終わるブリストルを有しており、それによって前記回転構成部品の縁部と前記固定構成部品との間のあらゆる間隙を通り抜ける漏洩が、最小にされるか又は排除され、
前記歯状突起の各側面上に配置された前記ブラシシールの各々は、ブリストル支持体（６０）により互いに分離された、第１及び第２の軸方向に間隔を置いたブリストル列（５５、５７）を含み、前記ラビリンス歯状突起の前記対向する側面の各々上に配置された各ブラシシールの第１のブリストル列（１８０）の先端が、各ブラシシールの第2のブリストル列の先端を越えた半径方向内側で終わる
ことを特徴とするシーリング装置。
【手続補正２】
【補正対象書類名】明細書
【補正対象項目名】０００５
【補正方法】変更
【補正の内容】
【０００５】
発電機ファンの設計は、特定の流れにおける必要な圧力に基づくものである。ファンは、ロータシャフト速度で作動しなければならず、その寸法は発電機の端部構造の幾何学的形状により制限される。ファン効率は、漏洩を防止するためのシールの性能に直接左右される。発電機は一般的に、剛性のある三角形の形状の歯状突起、すなわちラビリンス型シールを用いて、回転ファンブレードと固定ガスシールドとの間の漏洩を制御する。ファンブレード先端とガスシールドのラビリンス歯状突起との間に半径方向の間隙を維持して、ファンブレードへの損傷を防止する。しかしながら、この間隙により、結果として漏洩流が生じ、従ってファンの効率の低下が生じる。
【特許文献１】米国特許 ５９４４３２０号明細書
【特許文献２】米国特許 ５９７１４００号明細書
【特許文献３】米国特許 ６０２７１２１号明細書
【特許文献４】米国特許 ６０３０１７５号明細書
【特許文献５】米国特許 ６０４５１３４号明細書
【特許文献６】米国特許 ６１０５９６７号明細書
【特許文献７】米国特許 ６１３１９１０号明細書
【特許文献８】米国特許 ６１３９０１８号明細書
【特許文献９】米国特許 ６１３９０１９号明細書
【特許文献１０】米国特許 ６２５０６４０号明細書
【特許文献１１】米国特許 ６２５７５８６号明細書
【特許文献１２】米国特許 ６２８６２１１号明細書
【特許文献１３】米国特許 ６３０８９５８号明細書
【特許文献１４】米国特許６３２８３１１号明細書
【特許文献１５】米国特許 ６３３１００６号明細書
【特許文献１６】米国特許 ６６１２５８１号明細書
【特許文献１７】米国特許６３９０４７６号明細書
【特許文献１８】米国特許 ６３６７８０６号明細書
【特許文献１９】米国特許 ６３９６１７６号明細書
【特許文献２０】米国特許 ６４３５５１３号明細書
【特許文献２１】米国特許 ６５０２８２３号明細書
【特許文献２２】米国特許 ６５５０７７７号明細書
【特許文献２３】米国特許 ６５７２１１５号明細書
【特許文献２２】米国特許 ６６４４６６７号明細書